(57)【要約】【課題】下ステージを転動する遊技球がリフトによって流入口付近に移送される際の遊技の趣向性を、一層、向上可能なパチンコ遊技機を提供すること。【解決手段】センター役物１６が、遊技球Ｂを、ステージ部１９の上ステージ２０に開口させた流入口５０から流入させ、流出口６３から入賞口へ向けて流出可能とする入賞補助通路４５と、下ステージ２９側の遊技球を受け止めて上ステージ側に移送可能な受止保持部６７をするリフト６５と、流入口に流入しなかった遊技球を、上ステージから下ステージに戻し可能な戻しルート４２と、遊技球を排出可能な排出路４０と、遊技球を入球させる入球口１７と、を備える。流入口５０は、流入口に流入しなかった遊技球を戻しルート４２に転動可能として、左右に往復移動する。受止保持部６７は、下ステージ２９側で受け止めた遊技球を、流入口５０の左右の往復移動領域の上ステージ２０側に移送可能に、配設されている。【選択図】図３
2010035884.tif 000002
【特許請求の範囲】
【請求項１】
センター役物が、
遊技球をそれぞれ転動可能な上ステージと該上ステージの下方に配置される下ステージとの少なくとも二つのステージを有するステージ部と、
遊技球を、前記上ステージに開口させた流入口から流入させ、流出口から入賞口へ向けて流出可能とする入賞補助通路と、
前記下ステージ側の遊技球を受け止めて前記上ステージ側に移送可能な受止保持部を有して、遊技球の移送動作を繰り返すリフトと、
前記流入口に流入しなかった遊技球を、前記上ステージから前記下ステージにおける前記リフトの遊技球の受止エリアまで転動させて戻し可能な戻しルートと、
前記下ステージに配置されて、前記下ステージの前縁から遊技球をセンター役物外へ排出可能な排出路と、
前記ステージ部に遊技球を入球させる入球口と、
を備えて構成されるパチンコ遊技機であって、
前記流入口が、前記リフトの受止保持部によって移送される遊技球を流入可能に、前記上ステージ側における前記リフトの後側に配設されるとともに、移送時に前記流入口に流入しなかった遊技球を前記上ステージの戻しルートのエリアに転動可能として、左右方向に沿って往復移動するように、配設され、
前記リフトの受止保持部が、左右方向の長さを前記流入口の左右方向の開口寸法より広く設定されるとともに、前記下ステージ側で受け止めた遊技球を、前記流入口の左右方向の往復移動領域の前記上ステージ側に移送可能に、配設されていることを特徴とするパチンコ遊技機。
【請求項２】
前記入賞補助通路の内周に、前記流出口側に向かう遊技球に対して、少なくとも下方と左右両側とから接触し、前記流出口から前記入賞口に向かう遊技球の流出方向を安定させる案内部が、配設されていることを特徴とする請求項１に記載のパチンコ遊技機。
【請求項３】
前記入賞補助通路が、前記遊技球を前記案内部側に案内可能に前記流入口側に連通し、前記流入口の左右方向の移動に追従可能な可撓性を有した筒状体を配設させて、構成されていることを特徴とする請求項２に記載のパチンコ遊技機。
【請求項４】
前記リフトの受止保持部が、遊技球を受け止めた位置の略直上の前記上ステージ側に移送するように、構成されていることを特徴とする請求項１乃至請求項３のいずれか１項に記載のパチンコ遊技機。
【請求項５】
前記リフトが、左右方向に沿う回転軸を有して回転する構成として、
前記リフトの受止保持部が、略円柱形状として、外周面に、遊技球を吸着可能な磁石を配設させて構成されていることを特徴とする請求項４に記載のパチンコ遊技機。
【請求項６】
前記磁石が、前記リフトの回転軸に沿う方向で、回転軸の軸周り方向にずらして、配設されていることを特徴とする請求項５に記載のパチンコ遊技機。
【請求項７】
前記磁石が、前記リフトの回転軸に沿うように、直線状に配設されていることを特徴とする請求項５に記載のパチンコ遊技機。
【請求項８】
前記下ステージ側の前記リフトにおける前記受止保持部の前側に、左右方向に沿って往復移動するように配設されて、遊技球の前記リフトの受止保持部に受止保持される部位を変更させるように、前記下ステージを転動する遊技球に接触する可動片が、配設されていることを特徴とする請求項４乃至請求項７のいずれか１項に記載のパチンコ遊技機。
【発明の詳細な説明】
【技術分野】
【０００１】
本発明は、ステージ部を転動する遊技球を、ステージ部に開口させた流入口から流入させ、流出口から入賞口へ向けて流出可能とする入賞補助通路が、センター役物に配設されて構成されているパチンコ遊技機に関する。
【背景技術】
【０００２】
従来のパチンコ遊技機では、センター役物において、ステージ部における上ステージの左右方向の中央付近に、入賞補助通路の流入口を配置させ、流入口の前側の下ステージの部位に、リフトを配置させているものがあった（例えば、特許文献１参照）。なお、入賞補助通路は、流出口を下ステージ下方に位置した入賞口の上方で開口させて、流入口から流入した遊技球を、入賞口へ入り易くするように流出口から流出させるものである。この入賞口は、デジパチ等での抽選を開始する始動入賞口等であり、入球によって遊技者に特典を与えることとなる。
【０００３】
そして、リフトは、移送動作を回転動作とする回転タイプとして、下ステージ側の遊技球を、上ステージ側における流入口付近に移送可能に、左右方向に沿う回転軸を有して回転するとともに、外周側に、上ステージ側で遊技球を離脱可能として、下ステージ側の遊技球を受け止めて保持可能に、磁石からなる受止保持部を設けて、構成されていた。
【０００４】
また、流入口の周囲には、流入口に流入しなかった遊技球をリプレイできるように、上ステージから下ステージにおけるリフトの遊技球の受止エリアまで転動させて戻し可能な戻しルートが、配設されていた。
【０００５】
この戻しルートでは、上ステージの流入口の左右両側のエリアが、上ステージの左右両縁側に向けて低くなる傾斜面として形成され、また、下ステージのエリアが、左右両縁を上ステージの縁側に上面を連ならせて、左右方向の中央付近を下方へ低くして構成されていた。そして、下ステージの中央付近は、リフトの前側に配置されて、受止エリアとするとともに、前縁側を、遊技球をセンター役物外の下方へ排出可能な排出路としていた。
【０００６】
さらに、センター役物の周囲の飾り枠体におけるステージ部の上方側には、入球した遊技球を下ステージ上に転動可能に案内する入球口としてのワープ通路の入口が、開口していた。
【０００７】
このようなパチンコ遊技機では、下ステージを転動する遊技球がリフトの受止保持部で保持されて、入賞補助通路の流入口に入球するか、あるいは、流入口に流入せずに、戻しルートを経て下ステージに転動し、そして、再度、リフトで上ステージ側に移送されるか、あるいは、排出路から排出されるかで、遊技者にハラハラドキドキさせることができた。
【０００８】
また、従来のハネモノタイプのパチンコ遊技機では、センター役物内に、左右に揺動する所謂Ｖゾーン（Ｖ入賞口ともいう）が配設され、センター役物内に入球した遊技球が、そのＶゾーンに遊技球が入賞すれば、大当たりとなるものがあった（例えば、特許文献２，３参照）。
【特許文献１】特開２００４−９７８００号公報
【特許文献２】特開２００４−１８１１４３号公報
【特許文献３】平成１８年度  標準技術集  遊技機及びその関連技術（特許庁偏  第１８２頁参照）
【発明の開示】
【発明が解決しようとする課題】
【０００９】
しかし、従来のような下ステージから上ステージ側の流入口に流入可能に遊技球を移送するリフトと、リプレイできる戻しルートと、を備えたパチンコ遊技機では、上ステージ側の流入口が、移動せずに、上ステージの左右方向の中央に固定されており、下ステージを転動する遊技球が、流入口の直下で、リフトに受止保持されれば、流入口に流入することが決定され、その遊技球のステージ部での遊技が略完了してしまい、一層、遊技の趣向性を向上させる点に、改善の余地があった。
【００１０】
また、従来の左右に揺動するＶゾーンを設けたパチンコ遊技機では、センター役物内に入球した遊技球が左右に揺動するＶゾーンに入球するか否か、遊技者にハラハラドキドキさせて、遊技の趣向性を向上させているものの、遊技球がＶゾーンに入賞しなければ、センター役物内のＶゾーンに隣接する一般入賞口に入賞して、単に、所定数の遊技球の払い出しがあるだけで、Ｖゾーンを外した遊技球のステージ部での遊技が完了してしまい、上記と同様に、一層、遊技の趣向性を向上させる点に、改善の余地があった。
【００１１】
本発明は、上述の課題を解決するものであり、下ステージを転動する遊技球がリフトによって流入口付近に移送される際の遊技の趣向性を、一層、向上させることができるパチンコ遊技機を提供することを目的とする。
【課題を解決するための手段】
【００１２】
本発明に係るパチンコ遊技機は、センター役物が、
遊技球をそれぞれ転動可能な上ステージと上ステージの下方に配置される下ステージとの少なくとも二つのステージを有するステージ部と、
遊技球を、上ステージに開口させた流入口から流入させ、流出口から入賞口へ向けて流出可能とする入賞補助通路と、
下ステージ側の遊技球を受け止めて上ステージ側に移送可能な受止保持部を有して、遊技球の移送動作を繰り返すリフトと、
流入口に流入しなかった遊技球を、上ステージから下ステージにおけるリフトの遊技球の受止エリアまで転動させて戻し可能な戻しルートと、
下ステージに配置されて、下ステージの前縁から遊技球をセンター役物外へ排出可能な排出路と、
ステージ部に遊技球を入球させる入球口と、
を備えて構成されるパチンコ遊技機であって、
流入口が、リフトの受止保持部によって移送される遊技球を流入可能に、上ステージ側におけるリフトの後側に配設されるとともに、移送時に流入口に流入しなかった遊技球を上ステージの戻しルートのエリアに転動可能として、左右方向に沿って往復移動するように、配設され、
リフトの受止保持部が、左右方向の長さを流入口の左右方向の開口寸法より広く設定されるとともに、下ステージ側で受け止めた遊技球を、流入口の左右方向の往復移動領域の上ステージ側に移送可能に、配設されていることを特徴とする。
【００１３】
本発明に係るパチンコ遊技機では、入球口を経てステージ部上に入球した遊技球が、下ステージ側を転動してリフトの受止保持部に受止保持されれば、上ステージ側に移送される。その際、入賞補助通路の流入口が、左右方向に沿って往復移動しており、また、リフトの受止保持部が、左右方向の長さを流入口の左右方向の開口寸法より広く設定され、かつ、下ステージ側で受け止めた遊技球を、流入口の左右方向の往復移動領域の上ステージ側に移送可能に、配設されている。そのため、リフトの受止保持部に保持された遊技球が、上ステージ側に移送させる際、確実に流入口に流入するわけでなく、流入口に流入するか否か、遊技者にハラハラドキドキさせることとなる。そして、リフトで移送された遊技球が流入口に流入しなくとも、流入口が、移送時に流入口に流入しなかった遊技球を上ステージの戻しルートのエリアに転動可能として、左右方向に沿って往復移動するように、配設されており、流入口への流入を外した遊技球は、遊技を完了させることなく、戻しルートを経て、下ステージ側に転動できる。そして、排出路からセンター役物外に排出されずに、下ステージ側のリフトの受止エリアに配置されれば、再度、流入口に流入可能に、リフトによって移送される。すなわち、リフトで移送された遊技球が左右に往復移動する流入口に流入しなくとも、流入口への流入を外した遊技球は、排出路からセンター役物外に排出される場合を除いて、流入口に流入されるまで、上記の動作がリプレイされることとなって、遊技の趣向性を向上させることができる。
【００１４】
したがって、本発明に係るパチンコ遊技機では、左右に往復移動する流入口と、その移動する流入口の周囲に、遊技球が、流入口に流入しなくとも、その遊技球をリプレイできるように下ステージ側に転動させる戻しルートのエリアと、を配設させているため、遊技球がリフトによって流入口付近に移送される際の遊技の趣向性を、一層、向上させることができる。
【００１５】
そして、本発明に係るパチンコ遊技機では、入賞補助通路の内周に、流出口側に向かう遊技球に対して、少なくとも下方と左右両側とから接触し、流出口から入賞口に向かう遊技球の流出方向を安定させる案内部を、配設させることが望ましい。
【００１６】
このような構成では、入賞補助通路の流入口に流入した遊技球を、入賞口への入賞確率を高めて、流出口から入賞口へ向けて流出させることができる。すなわち、本発明に係るパチンコ遊技機では、左右に往復移動する流入口に流入した遊技球は、流入口への流入時における流入口自体の左右方向への往復移動により、入賞補助通路を通過する際、左右方向へのブレを伴って、流出口側に転動し易い。しかし、上記のような構成では、案内部が、流出口側に向かう遊技球に対して、少なくとも下方と左右両側とから接触することにより、遊技球の左右方向へのブレを抑制できて、流出口から入賞口に向かう遊技球の流出方向を安定させることから、入賞口への入賞確率を高めて、遊技球を流出口から入賞口へ向けて流出させることができる。
【００１７】
この場合、入賞補助通路には、遊技球を案内部側に案内可能に流入口側に連通し、流入口の左右方向の移動に追従可能な可撓性を有した筒状体を配設させてもよい。このような構成では、流入口から流入した遊技球が、案内部に到達する前の筒状体を通過する際に、転動する軌跡を、大きな曲率で屈曲させることなく（入賞補助通路の内周壁に直線的に反射させることなく）、左右のぶれを抑制できるように曲線状として、通過させることができ、案内部に到達する前に、極力、遊技球の流出方向を直線的に安定させることができて、案内部を経て、一層、入賞口への入賞確率を高めて、遊技球を流出口から入賞口へ向けて流出させることができる。
【００１８】
また、リフトの受止保持部は、遊技球を受け止めた位置の略直上の上ステージ側に移送するように、構成することが望ましい。受止保持部で受け止めて上ステージ側に移送する際、左右に大きく転動せずに、受け止めた位置の略直上に遊技球を移送できれば、左右に移動する流入口の開口面に対して、直交する方向で遊技球を移送できて、流入口に遊技球を流入させ易くなるためである。
【００１９】
この場合、リフトは、上面側を、下ステージ側で遊技球を受け止めて上ステージ側に上昇させ、流入口や戻しエリアに転動させるような受止保持部として、上下動を繰り返す上下往復移動タイプでもよいが、左右方向に沿う回転軸を有して回転する回転タイプとしてもよい。そして、リフトを回転タイプとする場合には、リフトの受止保持部は、略円柱形状として、外周面に、遊技球を吸着可能な磁石を配設させて構成することが望ましい。このような構成では、他の回転タイプのリフトような、受止保持部として、遊技球を保持可能なバケットや羽根から構成する場合に比べて、直径寸法をコンパクトに構成でき、ステージ部の前後方向の幅寸法に制限のある場合に好適となる。
【００２０】
そして、リフトの受止保持部を磁石によって構成する場合、磁石は、リフトの回転軸に沿う方向で、回転軸の軸周り方向にずらして、配設したり、あるいは、リフトの回転軸に沿うように、直線状に配設することができる。なお、磁石が、リフトの回転軸に沿うように、直線状に配設されている場合には、受止保持部における磁石を設けたリフトの軸方向に沿う全域の任意の位置で、遊技球を吸着して直上に移送できる。そのため、リフトの回転軸に沿う方向で回転軸の軸周り方向にずらして磁石を配設する場合に比べて、吸着された遊技球のリフトの回転軸方向に沿う位置が、吸着された遊技球毎に微妙に異なることとなり、遊技球の吸着された位置の直上に流入口が配置されるか否か、吸着された遊技球毎に、ハラハラドキドキできて、遊技の趣向性を向上させることができる。
【００２１】
さらに、リフトの受止保持部が、遊技球を受け止めた位置の略直上の上ステージ側に移送するように、構成されている場合には、下ステージ側のリフトにおける受止保持部の前側に、左右方向に沿って往復移動するように配設されて、遊技球のリフトの受止保持部に受止保持される部位を変更させるように、下ステージを転動する遊技球に接触する可動片を、配設させてもよい。このような構成では、遊技球が下ステージを転動して受止保持部で受止保持される際、流入口の左右の往復移動のタイミングにより、受止保持部のどの位置で受け止められれば、流入口に流入するかが予測されていても、その遊技球の受止保持部位での実際の受止位置が、遊技球の可動片との接触により、流入口に流入し易い位置、あるいは、流入口に流入し難い位置に、変更され、実際の移送動作が開始されるまで、どの位置で、受止保持されるかが予測し難くなって、遊技の趣向性を向上させることができる。
【発明を実施するための最良の形態】
【００２２】
以下、本発明の一実施形態を図面に基づいて説明すると、実施形態のパチンコ遊技機（以下、単に遊技機と略す）１では、図１に示すように、遊技盤面２における外側レール３と内側レール４とで囲まれた遊技領域５を備え、遊技領域５には、その中央に、飾り枠体１３に囲まれてセンター役物１６が配設されている。センター役物１６の後方には、液晶等で所定の図柄を表示する図柄表示装置１４が配設されている。
【００２３】
遊技領域５の飾り枠体１３の周囲には、図示しない釘、風車６、普通入賞口７、賞球の無い入賞口８、始動入賞口９、電動チューリップ１０、大入賞口１１、アウト口１２等の公知の部材が配設されて、図示しないハンドルを操作し、遊技球を外側レール３と内側レール４との間から遊技領域５に打ち出せば、遊技球は、普通入賞口７、賞球の無い入賞口８、始動入賞口９、電動チューリップ１０、大入賞口１１、アウト口１２のいずれかに入球する。そして、遊技球が、普通入賞口７や開放時の大入賞口１１に入賞すれば、所定数の遊技球を獲得でき、入賞口８に入賞すれば、抽選により電動チューリップ１０を所定時間若しくは所定回数開放させることとなる。また、遊技球が、始動入賞口９や開放時の電動チューリップ１０に入賞すれば、抽選により、大当たり、中当たり、小当たり等の当たりや外れが決定され、当たりとなれば、大入賞口１１を、その当たりに応じて開放時間、開放回数、入賞個数等を制限して、開放することとなる。これらの作動や遊技フローは、公知のものであり、遊技盤面２の背面側に配置された図示しないメイン制御基板が、入賞時のセンシングに基づき、各種の作動信号を出力し、そして、メイン制御基板からの当たりや外れ等の抽選結果に基づいて、図示しないサブ制御基板が、所定数の遊技球を払い出したり、所定のランプやスピーカ等を作動させつつ、所定の演出を図柄表示装置１４に表示することとなる。
【００２４】
そして、飾り枠体１３で囲まれた実施形態のセンター役物１６は、図２に示すように、ステージ部１９、ワープ通路１７、入賞補助通路４５、及び、リフト６５を配設させて構成されている。ステージ部１９は、飾り枠体１３の下枠１３ａ側に配置されて、遊技球Ｂを上面側でそれぞれ転動可能な上ステージ２０と上ステージ２０の下方に配置される下ステージ２９との少なくとも二つのステージ２０，２９を有して構成されている。なお、実施形態では、図柄表示装置１４に近い後部側に上ステージ２０が配設され、下ステージ２９が、前部側に配置されている。
【００２５】
ワープ通路１７は、図１，２に示すように、ステージ部１９への遊技球Ｂの入球口となるもので、飾り枠体１３におけるステージ部１９の上方側の左枠１３ｂ側で開口した入口１７ａから入る遊技球Ｂを、ステージ部１９の下ステージ２９の左縁側に転動可能に案内するように、配設されている。
【００２６】
そして、ステージ部１９の上ステージ２０は、図２，３に示すように、入賞補助通路４５の流入側部位４６を配設させた中央部２１と、中央部２１の左右両側に配設されて、上面側で遊技球Ｂを転動可能な左面部２２及び右面部２３と、を備えて構成されている。中央部２１に設けられる入賞補助通路４５の流入側部位４６は、遊技球Ｂを流入させる流入口５０を、左右方向に沿って往復移動するように、構成されている。左面部２２と右面部２３とは、それぞれ、中央部２１から離れるに従って低くし、さらに、最も低い底部２２ｂ，２３ｂから外縁２２ｃ，２３ｃ側にかけて、徐々に高くするように構成されている。また、左面部２２と右面部２３との中央部２１側には、リフト６５によって移送されても入賞補助通路４５の流入口５０に流入しなかった遊技球Ｂを、受け入れて、底部２２ｂ，２３ｂ側に転動させるエリア（隣接エリア）２２ａ，２３ａが、配設されている。また、左面部２２と右面部２３との底部２２ｂ，２３ｂは、下ステージ２９側に遊技球Ｂを転動させる連通口４３を構成する部位としている。なお、実施形態の場合、隣接エリア２２ａ，２３ａは、リフト６５を間にしたリフト６５の左右両側に配置され、リフト６５の後側には、後述する往復移動体４７の横板部５２，５３の戻しエリア５２ａ，５３ａ、流入口５０、及び、左右の区画壁５１，５１が配設され、さらに、これらの戻しエリア５２ａ，５３ａ、流入口５０、及び、左右の区画壁５１，５１は、隣接エリア２２ａ，２３ａの後半分側のエリアに、配設されている。
【００２７】
また、上ステージ２０の後縁側には、図１，２に示すように、図柄表示装置１４側との境界として、背面壁２６が左右方向に沿って上方に突設され、背面壁２６の左右方向の中央には、入賞補助通路４５の流入側部位４６に配設される往復移動体４７の縦壁部４８が、配設されている。往復移動体４７は、後述するように、凹んだ凹部４９を流入口５０として、その流入口５０を左右方向に沿って往復移動させるものである。
【００２８】
ステージ部１９の下ステージ２９は、図２，３に示すように、上面側で遊技球Ｂを転動可能として、左右方向の中央付近となる中央部３０を低くし、中央部３０の左右両側を高くするように構成され、左右の左縁３４付近と右縁３５付近とが、上ステージ２０の左面部２２と右面部２３との外縁２２ｃ，２３ｃ付近と略面一の同じ曲面として、形成されている。また、下ステージ２９の中央部３０には、図５に示すように、後部側に配置されて遊技球Ｂをリフト６５に案内可能な後下がりの案内面３１と、前部側に配置される前下がりの傾斜面３２と、が配設されている。案内面３１は、リフト６５における遊技球Ｂの受止エリア３０ａを構成することとなり、傾斜面３２は、遊技球Ｂを下ステージ２９の前縁から飾り枠体１３（センター役物１６）外の下方へ自由落下させて排出する排出路４０を構成することとなる。また、下ステージ２９の前縁側には、図２，３に示すように、傾斜面３２が配設されたエリアを除いて、すなわち、排出路４０のエリアを除いて、遊技球Ｂの前方側への落下を防止可能な突条３７，３８が、小さな突出量として、上方に突設されている。
【００２９】
なお、ワープ通路１７の出口１７ｂは、中央部３０側に向いて、下ステージ２９の左縁３４付近に配設されている。
【００３０】
また、排出路４０から落下する遊技球Ｂは、排出路４０が左右方向に幅広に開口された状態としており、入賞補助通路４５の流出口６３から始動入賞口９に向けて落下するように流出される場合と相違して、殆ど、始動入賞口９に入賞せずに、落下していくこととなる。
【００３１】
そして、遊技球Ｂが、図２，３に示すように、リフト６５に受止保持されて上ステージ２０の中央部２１付近まで持ち上げられ、流入口５０に流入しなかった場合には、その遊技球Ｂは、流入口５０の左右両側の戻しエリア５２ａ，５３ａを経て、左面部２２と右面部２３との隣接エリア２２ａ，２３ａから底部２２ｂ，２３ｂ付近まで転動し、連通口４３，４３を経て、底部２２ｂ，２３ｂから下ステージ２９に転動し、そして、中央部３０のリフト６５付近まで転動し、排出路４０から排出されなければ、受止エリア３０ａとしての案内面３１に転動し、再度、リフト６５で受止保持されて循環するようなループ動作する場合が生ずる。すなわち、左面部２２や右面部２３は、下ステージ２９とともに、連通口４３，４３を利用して、遊技球Ｂをループ動作で戻すような戻しルート４２を構成している。
【００３２】
なお、上ステージ２０と下ステージ２９との間には、連通口４３の部位を除いて、上ステージ２０から下ステージ２９側に遊技球Ｂが転動しないように、仕切壁２７，２７，２８，２８が、配設されている。仕切壁２７，２７は、下ステージ２９の左縁３４側と右縁３５側とに配設され、仕切壁２８，２８は、隣接エリア２２ａ，２３ａ付近に配設されている。
【００３３】
リフト６５は、図３〜５に示すように、下ステージ２９側の遊技球Ｂを、上ステージ２０側における流入口５０付近に移送可能に、移送動作を繰り返すものである。そして、リフト６５は、下ステージ２９側の遊技球Ｂを受け止めて保持し、かつ、上ステージ２０側で遊技球Ｂを離脱可能な受止保持部６７、を備えて構成されている。受止保持部６７は、図４，５，８に示すように、下ステージ２９側で受け止めた遊技球Ｂを略直上に移送させる構成としている。実施形態の場合、リフト６５は、左右方向に沿う回転軸Ｃを有して回転する回転タイプとして、受止保持部６７は、略円柱形状のロータ６６の外周面に、遊技球Ｂを吸着可能な磁石６８を配設させて構成されている。磁石６８は、回転軸Ｃの軸方向に沿って、直線状に配置されるとともに、軸周り方向に１２０°ずつ離れて、計三個配設されている。なお、磁石６８は、受止保持部６７での配置を遊技者が認識できるように、ロータ６６の外周面側に所定の色や模様等の意匠が施されて、配設されている。
【００３４】
ロータ６６は、その軸方向に沿う左右方向の長さ寸法Ｌを、図４のＢに示すように、流入口５０の左右方向の開口寸法ＷＨより広く設定されるとともに、下ステージ２９側で受け止めた遊技球Ｂを、流入口５０の左右方向の往復移動領域の上ステージ２０側に移送可能に、設定されている。実施形態の場合、長さ寸法Ｌは、遊技球Ｂの直径寸法の４〜５倍程度（実施形態では約５０ｍｍ）としている。なお、ロータ６６の回転方向は、磁石６８が、受止エリア３０ａ側の前面側に向いた状態から、上方側に向き、さらに、流入口５０内に入り込むような後方回転としている。
【００３５】
入賞補助通路４５は、図１，２に示すように、流出側部位５８に開口する流出口６３を下ステージ２９の下方に位置した始動入賞口９の上方で開口させ、また、上ステージ２０の左右方向の中央付近に、流入側部位４６の流入口５０を開口させて構成されて、流入口５０から流入した遊技球Ｂを、自重により、流出口６３まで転動させ、流出口６３から、始動入賞口９へ落下させるように流出可能として、始動入賞口９への入賞を補助するために配設されている。この入賞補助通路４５は、図５のＡ〜Ｃに示すように、上ステージ２０の左右方向の中央付近に配置された流入口５０から、上ステージ２０の背面、下方、さらに、下ステージ２９の左右方向の中央の下方に位置する流出口６３まで、前後方向に沿った略Ｌ字状の通路として構成されている。さらに、実施形態の流入口５０は、左右方向に沿って往復移動する往復移動体４７に配設されている。
【００３６】
往復移動体４７は、図１，２に示すように、入賞補助通路４５の流入側部位４６に配設され、背面壁２６の中央の凹部２６ａに配設される縦壁部４８と、縦壁部４８の左右両側の下縁付近から前方側に延びる二つの横板部５２，５３と、を備えて構成されている。そして、流入口５０は、図２，４，５に示すように、縦壁部４８の左右方向の中央から後方側に凹んで、横板部５２，５３間に連なる凹部４９から構成されている。流入口５０の左右方向の開口寸法ＷＨ（図４のＢ参照）は、遊技球Ｂの直径寸法より僅かに大きな寸法としている。さらに、流入口５０の左右両縁には、横板部５２，５３から前方に延びる略長方形板状の区画壁５１，５１が配設されている。これらの区画壁５１，５１は、リフト６５の軸心（回転軸Ｃ）の直上付近まで延ばすように配設されて、リフト６５から移送されてくる遊技球Ｂが流入口５０に流入する際に、区画壁５１，５１間でガイドされて、流入し易いように、構成されている。そして、区画壁５１，５１の外側における横板部５２，５３の上面側は、流入口５０に流入しなかった遊技球Ｂを戻しルート４２の隣接エリア２２ａ，２３ａに転動させるように、戻しエリア５２ａ，５３ａを構成している。戻しエリア５２ａ，５３ａは、隣接エリア２２ａ，２３ａ側に遊技球Ｂを転動し易いように、流入口５０から離れるに従って下がるような傾斜面として構成され、隣接エリア２２ａ，２３ａの前後方向の略半分とした後縁側の下方に、侵入するように配設されている。
【００３７】
また、この往復移動体４７は、流入口５０がリフト６５の左右両端まで移動するように、左右方向に沿って往復移動可能に、配設されている。なお、詳しく言えば、リフト６５の受止保持部６７の左端や右端で受止保持する遊技球Ｂを流入口５０に流入可能に、左右の区画壁５１が、それぞれ、隣接エリア２２ａ，２３ａに接触するまで、左右方向に往復移動する。
【００３８】
すなわち、この往復移動体４７では、図２〜４に示すように、戻しエリア５２ａ，５３ａ上に移送された遊技球Ｂを隣接エリア２２ａ，２３ａ側に転動可能とするように、戻しエリア５２ａ，５３ａは、流入口５０から離れるに従って下がる斜面として、左右方向の往復移動時、横板部５２，５３の戻しエリア５２ａ，５３ａの部位が、戻しエリア５２ａ，５３ａ上に移送された遊技球Ｂを隣接エリア２２ａ，２３ａ側に転動可能な状態を維持して、隣接エリア２２ａ，２３ａの下方に、交互に、進入することとなる。そのため、戻しエリア５２ａ，５３ａが交互に隣接エリア２２ａ，２３ａの下方に侵入する必要があるため、この往復移動体４７は、左右方向に沿う鉛直面で、かつ、正面視で流出口６３付近を中心とするような回動運動によって、左右方向に沿って往復移動することとなる。そして、この往復移動体４７は、リフト６５を回転駆動させる駆動モータ等の駆動源からの駆動力を、図示しない歯車機構やカム・リンク機構等の動力伝達機構により伝動されて、回動運動を伴って左右方向に往復移動するように、飾り枠体１３内で支持されている。
【００３９】
さらに、往復移動体４７は、図５，８に示すように、左右の区画壁５１の下端側に、前方へ湾曲して延びるような下縁部５４を備えている。そして、下縁部５４は、縦壁部４８の凹部４９の下縁側と連なって、筒状体５６を結合させる略円筒状の連結筒部５５を形成している。
【００４０】
筒状体５６は、図５，７，８に示すように、上端側を連結筒部５５に結合させ、下端側を入賞補助通路４５の流出側部位５８の略円筒状の連結筒部５８ａに結合させている。この筒状体５６は、遊技球Ｂを流入側部位４６から、移動せずに固定されて配設されている流出側部位５８まで案内するものであり、往復移動体４７の左右方向の往復移動に追従する可撓性を有した合成樹脂やゴム等からなる蛇腹管、あるいは、合成樹脂、ゴム、金属等からなるコイルスプリング等の筒体から形成されている。実施形態の場合、遊技球Ｂの直径寸法より僅かに大きな内径寸法を有した合成樹脂製の蛇腹管が使用されている。
【００４１】
入賞補助通路４５の流出側部位５８は、図５に示すように、下ステージ２９の下方に前後方向に沿って貫通するとともに、後端の連結筒部５８ａから前下がりに傾斜するように配設され、前端に開口させた流出口６３を始動入賞口９の直上に配置させている。そして、流出口６３の近傍には、流出口６３側に向かう遊技球Ｂに対して、少なくとも下方と左右両側とから接触し、流出口６３から始動入賞口９に向かう遊技球Ｂの流出方向を安定させる案内部５９が、配設されている。実施形態の案内部５９は、略四角筒形状として、上方側の天井壁部６０と、下面側の底壁部６１と、左右の側壁部６２，６２と、を備えて構成され、左右の側壁部６２，６２が、前方に向かうに連れて左右方向の幅寸法を狭めるテーパ面部６２ａ，６２ａと、前後方向で相互に平行となるストレート部６２ｂ，６２ｂと、を配設させて構成されている（図７参照）。ストレート部６２ｂ，６２ｂの左右方向の開口寸法ＷＥは、遊技球Ｂの直径寸法より僅かに大きな寸法としている。この案内部５９では、連結筒部５８ａから前方に向かう遊技球Ｂが、テーパ面部６２ａ，６２ａからストレート部６２ｂ，６２ｂの相互の間を通過する際、減速されつつ左右のブレを抑制されて、前方に向かう安定した直進性を付与されるとともに、入賞確率をより高めた安定した速度で、流出口６３から始動入賞口９に向けて流出（落下）させることができる。
【００４２】
なお、実施形態の場合、往復移動体４７が左右方向に一往復する際、リフト６５が一回転するように、構成されている。
【００４３】
実施形態の遊技機１の作動を説明すれば、電源オンとともに、図示しない駆動源と動力伝達機構とによって、往復移動体４７が左右方向に沿って往復移動するとともに、リフト６５が後方回転することとなる。そして、遊技時、ワープ通路１７の入口１７ａに遊技球Ｂが入球されれば、遊技球Ｂは、出口１７ｂから下ステージ２９に転動する（図３，４参照）。
【００４４】
この転動時、遊技球Ｂが、リフト６５の受止保持部６７に受止保持されれば、上ステージ２０側に移送される。その際、入賞補助通路４５の流入口５０が、左右方向に沿って往復移動しており、また、リフト６５の受止保持部６７が、左右方向の長さ寸法Ｌを流入口５０の左右方向の開口寸法ＷＨより広く設定され（図４のＢ参照）、かつ、下ステージ２９側で受け止めた遊技球Ｂを、流入口５０の左右方向の往復移動領域の上ステージ２０側に移送可能に、配設されている。そのため、リフト６５の受止保持部６７に保持された遊技球Ｂが、上ステージ２０側に移送される際、確実に流入口５０に流入するわけでなく、流入口５０に流入する（図５参照）か、あるいは、否か（図６参照）として、遊技者にハラハラドキドキさせることとなる。そして、リフト６５で移送された遊技球Ｂが流入口５０に流入しなくとも、流入口５０が、移送時に流入口５０に流入しなかった遊技球Ｂを上ステージ２０の戻しルート４２のエリアである戻しエリア５２ａ，５３ａに転動可能として、左右方向に沿って往復移動するように、配設されており、流入口５０への流入を外した遊技球Ｂは、遊技を完了させることなく、戻しルート４２の戻しエリア５２ａ，５３ａや隣接エリア２２ａ，２３ｂ、さらに、左面部２２，２３の底部２２ｂ，２３ｂ、連通口４３，４３を経て、下ステージ２９側に転動できる。そして、排出路４０からセンター役物１６（飾り枠体１３）外に排出されずに、下ステージ２９側のリフト６５の受止エリア３０ａに配置されれば、再度、流入口５０に流入可能に、リフト６５によって移送される。すなわち、リフト６５で移送された遊技球Ｂが左右に往復移動する流入口５０に流入しなくとも、流入口５０への流入を外した遊技球Ｂは、排出路４０からセンター役物１６外に排出される場合を除いて、流入口５０に流入されるまで、上記の動作がリプレイされることとなって、遊技の趣向性を向上させることができる。
【００４５】
したがって、実施形態の遊技機１では、左右に往復移動する流入口５０と、その移動する流入口５０の周囲に、遊技球Ｂが、流入口５０に流入しなくとも、その遊技球Ｂをリプレイできるように下ステージ２９側に転動させる戻しルート４２の戻しエリア５２ａ，５３ａと、を配設させているため、遊技球Ｂがリフト６５によって流入口５０付近に移送される際の遊技の趣向性を、一層、向上させることができる。
【００４６】
そして、実施形態の遊技機１では、入賞補助通路４５の内周に、流出口６３側に向かう遊技球Ｂに対して、少なくとも下方と左右両側とから接触し、流出口６３から始動入賞口９に向かう遊技球Ｂの流出方向を安定させる案内部５９を、配設させている（図７参照）。そのため、入賞補助通路４５の流入口５０に流入した遊技球Ｂを、始動入賞口９への入賞確率を高めて、流出口６３から始動入賞口９へ向けて流出させることができる。すなわち、実施形態の遊技機１では、左右に往復移動する流入口５０に流入した遊技球Ｂは、流入口５０への流入時における流入口５０自体の左右方向への往復移動により、入賞補助通路４５を通過する際、左右方向へのブレを伴って、流出口６３側に転動し易い。しかし、実施形態では、案内部５９の底壁部６１、及び、左右の側壁部６２のテーパ面部６２ａ相互やストレート部６２ｂ相互が、流出口６３側に向かう遊技球Ｂに対して、少なくとも下方と左右両側とから接触することにより、減速させつつ、遊技球Ｂの左右方向へのブレを抑制できて、入賞し易い軌跡となるような速度の自由落下とし、かつ、流出口６３から始動入賞口９に向かう遊技球Ｂの流出方向を、前向きの直線状として、安定させることから、入賞確率を高めて、遊技球Ｂを流出口６３から始動入賞口９へ向けて流出させることができる。
【００４７】
なお、案内部としては、図９に示す案内部５９Ａのように、ある程度の形状保持性を有して弾性変形可能なゴムや合成樹脂からなるリップ形状（ヒレ形状）の弾性支持部６２ｃ，６２ｃを左右の側壁部６２，６２に設けてもよい。このような案内部５９Ａでは、弾性支持部６２ｃ，６２ｃが、底壁部６１を転動する遊技球Ｂの前面に左右で均等に撓みつつ接触するように配設されており、遊技球Ｂとの接触時、前方側への直進性を付与しつつ遊技球Ｂを減速させることができる。
【００４８】
さらに、実施形態では、入賞補助通路４５に、遊技球Ｂを案内部５９側に案内可能に流入口５０側に連通し、流入口５０の左右方向の移動に追従可能な可撓性を有した筒状体５６を配設させている（図５，７，８参照）。そのため、実施形態では、流入口５０から流入した遊技球Ｂが、案内部５９に到達する前の筒状体５６を通過する際に、転動する軌跡を、大きな曲率で屈曲させることなく（入賞補助通路４５の内周壁に直線的に反射させることなく）、左右のぶれを抑制できるように曲線状として、通過させることができ、案内部５９に到達する前に、極力、遊技球Ｂの流出方向を直線的に安定させることができて、案内部５９を経て、一層、入賞確率を高めて、遊技球Ｂを流出口６３から始動入賞口９へ向けて流出させることができる。
【００４９】
また、実施形態では、リフト６５の受止保持部６７が、遊技球Ｂを吸着する磁石６８を利用して、遊技球Ｂを受け止めた位置の略直上の上ステージ２０側に移送できるように、構成されている（図４，５，６参照）。そのため、実施形態では、受止保持部６７で受け止めて上ステージ２０側に移送する際、左右に大きく転動せずに、受け止めた位置の略直上に遊技球Ｂを移送できることから、左右に移動する流入口５０の開口面５０ａ（実施形態の場合には、リフト６５の軸心（回転軸Ｃ）の直上付近に配設された区画壁５１，５１の前端相互の間の面となる）に対して、直交する方向で遊技球Ｂを移送できて、流入口５０に遊技球Ｂを流入させ易くなる。
【００５０】
特に、実施形態の場合には、磁石６８が、リフト６５の回転軸Ｃに沿うように、直線状に配設されており、受止保持部６７における磁石６８を設けたリフト６５の軸方向に沿う全域の任意の位置で、遊技球Ｂを吸着して直上に移送できる。そのため、吸着された遊技球Ｂのリフト６５の回転軸Ｃの軸方向に沿う位置が、吸着された遊技球Ｂ毎に微妙に異なることとなり、遊技球Ｂの吸着された位置の直上に流入口５０が配置されるか否か、吸着された遊技球Ｂ毎に、ハラハラドキドキできて、遊技の趣向性を向上させることができる。なお、実施形態では、棒状の磁石６８を使用して、回転軸Ｃに沿って直線状に磁石６８を配置させた場合を示したが、円板状等の多数の磁石を利用して、これらの磁石を、回転軸Ｃに沿って直線状にロータ６６の外周面に配設させてもよい。
【００５１】
なお、上記の点を考慮しなければ、図１０〜１１に示す遊技機１Ｂのリフト６５Ｂのように、磁石６９，７０を、リフト６５Ｂの回転軸Ｃに沿う方向で、回転軸Ｃの軸周り方向にずらして、配設してもよい。図例の場合には、リフト６５の受止保持部６７の左側部６７ａと右側部６７ｂとのそれぞれの軸方向の中央付近に、軸周り方向に１２０°ずつずらして、円板状の磁石６９を３個ずつ配設し、受止保持部６７の中央部６７ｃの軸方向の中央付近に、軸周り方向に１８０°ずらして、円板状の磁石７０を２個配設させている。そして、左側部６７ａと右側部６７ｂとの各磁石６９は、リフト６５Ｂの軸周り方向に一致する角度位置に配設されているものの、中央部６７ｃの各磁石７０は、一つの磁石７０が一つの磁石６９とリフト６５Ｂの軸周り方向に一致する角度位置に配設されている。このようなリフト６５Ｂでは、実施形態のリフト６５のように、受止保持部６７における磁石６８を設けたリフト６５の軸方向に沿う全域の任意の位置で遊技球Ｂを吸着できず、磁石６９，７０の配置位置で遊技球Ｂを吸着して、上ステージ２０側に移送することとなる。そして、このリフト６５Ｂは、リフト６５と相違して、逆に、受止保持部６７の遊技球Ｂの吸着される箇所が磁石６９，７０の位置となるため、遊技球Ｂの吸着された位置の直上に流入口５０が配置されるか否か、予測し易くなる。なお、各磁石６９，７０は、数や、リフト６５Ｂの軸周り方向での配置位置を、適宜、変更してもよい。
【００５２】
なお、実施形態では、仕切壁２７，２８をステージ部１９に固定したものを示したが、図１２〜１７に示す遊技機１Ｃのように、リフト６５の受止保持部６７への遊技球Ｂの受止位置を変更させるように、仕切壁２８と近似した可動片７２，７７を移動させる構成としてもよい。
【００５３】
この遊技機１Ｃでは、下ステージ２９側におけるリフト６５の前側に、可動片７２，７７が配設されている。各可動片７２，７７は、図１４，１５に示すように、左右方向に沿って往復移動し、下ステージ２９を転動する遊技球Ｂに接触して、遊技球Ｂのリフト６５の受止保持部６７に受止保持される部位を変更させるものである。具体的には、可動片７２，７７は、左右方向に沿って、相互に接近しかつ離隔するように往復移動し、相互の接近時、図１４のＡや図１５のＡに示すように、受止保持部６７の左右両側の部位（左側部６７ａと右側部６７ｂ）の前側を覆って、受止保持部６７の左右方向の中央部６７ｃの前側を開け、相互の離隔時に、図１４のＣや図１５のＢに示すように、受止保持部６７の前側の全域を開けるように、配設されている。
【００５４】
なお、左右の可動片７２，７７は、それぞれ、仕切壁２７，２７に近似した装飾体７４，７９を一体的に連結させた可動体７１，７６に配設されて、装飾体７４，７９とともに、雲形状の意匠を施された略半円板状として、上ステージ２０と下ステージ２９との間の左右に延びたスリット１９ａ，１９ｂ，１９ｃから上方に突出している（図１２，１３参照）。各可動体７１，７６は、それぞれ、可動片７２，７７と装飾体７４，７９とを連結杆部７３，７８（図１６のＡ、図１７のＡ参照）によって連結して構成されている。連結杆部７３は、リフト６５の左方側の可動片７２と右面部２３側の連通口４３付近に配置される装飾体７４とを、下ステージ２９の下方側で連結している。また、連結杆部７８は、リフト６５の右方側の可動片７７と左面部２２側の連通口４３付近に配置される装飾体７９とを、下ステージ２９の下方側で連結している。
【００５５】
これらの可動体７１，７６は、相互に略左右対称形に形成され、図示しない回動カムの回転により、左右方向に沿って往復移動することとなる。
【００５６】
ちなみに、可動体７１の往復移動時には、図１５のＡ，Ｂに示すように、可動片７２が、左側部６７ａの前側を覆いかつ中央部６７ｃの前側を隠さない状態から、左側部６７ａの前側を覆わない状態まで、左方側に移動するように、往復移動し、その際、装飾体７４は、左端側に移動した際、右面部２３側の連通口４３の前側を塞ぎ、右端側に移動した際、その連通口４３を開口することとなる。なお、装飾体７４が右面部２３側の連通口４３の前側を閉口している際、実施形態の場合には、右側の可動片７７が右端側に移動しており、右面部２３側の連通口４３の前側が、装飾体７４と可動片７７の右縁付近とによって、二枚重ねで塞がれることとなる。
【００５７】
また、可動体７６の往復移動時には、図１５のＡ，Ｂに示すように、可動片７７が、右側部６７ｂの前側を覆いかつ中央部６７ｃの前側を隠さない状態から、右側部６７ｂの前側を覆わない状態まで、右方側に移動するように、往復移動し、その際、装飾体７９は、右端側に移動した際、左面部２２側の連通口４３の前側を塞ぎ、左端側に移動した際、その連通口４３を開口することとなる。なお、装飾体７９が左面部２２側の連通口４３の前側を閉口している際、実施形態の場合には、左側の可動片７２が左端側に移動しており、左面部２２側の連通口４３の前側が、装飾体７９と可動片７２の左縁付近とによって、二枚重ねで塞がれることとなる。
【００５８】
これらの可動体７１，７６は、それぞれ、図示しない回転カムが歯車機構やリンク機構等の動力伝達機構を利用して、往復移動体４７を往復移動させたり、リフト６５を回転駆動させる駆動モータ等の駆動源と機械的に連結されており、駆動源の作動時、往復移動体４７や可動体７１，７６の左右方向に沿う往復移動とリフト６５との回転とが、連動して動作されるように構成されている。
【００５９】
ちなみに、この遊技機１Ｃでは、往復移動体４７が左右方向に一往復する際、可動体７１，７６も左右方向に一往復し、また、リフト６５が一回転するように、構成されている。但し、この往復移動体４７と可動体７１，７６との移動するタイミングや周期は適宜変更してもよい。
【００６０】
この遊技機１Ｃでは、下ステージ２９側のリフト６５における受止保持部６７の前側に、左右方向に沿って往復移動するように配設されて、遊技球Ｂのリフト６５の受止保持部６７に受止保持される部位を変更させるように、下ステージ２９を転動する遊技球Ｂに接触する可動片７２，７７が、配設されている。そのため、遊技球Ｂが下ステージ２９を転動して受止保持部６７の磁石６８で受止保持される際、図１６に示すように、遊技球Ｂが流入口５０に流入したり、あるいは、図１７に示すように、遊技球Ｂが戻しルート４２に転動される戻しエリア５３ａに移送される場合が生ずる。そして、この遊技機１Ｃでは、流入口５０の左右の往復移動のタイミングにより、受止保持部６７のどの位置で受け止められれば、流入口５０に流入するかが予測されていても、その遊技球Ｂの受止保持部位での実際の受止位置が、遊技球Ｂの可動片７２，７７との接触により、流入口５０に流入し易い位置、あるいは、流入口５０に流入し難い位置に、変更され、実際の移送動作が開始されるまで、どの位置で、受止保持されるかが予測し難くなって、遊技の趣向性を向上させることができる。
【００６１】
なお、この遊技機１Ｃでも、図１０に示すリフト６５Ｂを使用してもよい。この場合、遊技球Ｂの吸着される位置が、可動片７２，７７で前側を覆われるか、あるいは、前側を覆われないかによって、リフト６５Ｂの左側部６７ａや右側部６７ｂの磁石６９の位置となるか、あるいは、中央部６７ｃの磁石７０の位置となるか、大きくずれるため、実際の移送動作が開始されるまで、どの位置で、受止保持されるか予測し難くなって、遊技の趣向性を向上させることができる。
【００６２】
また、図１２〜１７に示す遊技機１Ｃでは、ステージ部１９上で突出するとともに可動片７２，７７に連動して左右に往復移動する装飾体７４，７９が、可動片７２，７７に連結させて配設されている。実施形態の装飾体７４，７９は、可動片７２，７７とともに、雲型等の意匠が施されている。そのため、遊技機１Ｃでは、可動片７２，７７と装飾体７４，７９との左右方向に沿う往復移動により、往復移動体４７の左右方向の往復移動とともに、ステージ部１９での演出効果を一層高めることもできる。
【００６３】
また、既述の遊技機１，１Ｂ，１Ｃでは、遊技球Ｂを受止保持するリフトとして、左右方向に沿う回転軸Ｃを有して回転し、磁石６８，６９，７０を受止保持部６７に利用した回転タイプのリフト（回転リフト）６５，６５Ｂを例示したが、遊技球Ｂを略直上の移送可能な他の回転タイプのリフトとしては、受止保持部を、遊技球を保持可能なバケットや羽根から構成したものでもよい。但し、リフト６５，６５Ｂのように、受止保持部６７が、略円柱形状として、外周面に、遊技球Ｂを吸着可能な磁石６８，６９，７０を配設させて構成されれば、受止保持部を、遊技球を保持可能なバケットや羽根から構成する場合に比べて、直径寸法をコンパクトに構成でき、ステージ部１９の前後方向の幅寸法に制限のある場合に好適となる。
【００６４】
また、遊技球を受止保持するリフトとしては、上面側を、下ステージ２９側で遊技球Ｂを受け止めて上ステージ２０側に上昇させ、流入口５０や隣接エリア２２ａ，２３ａに転動させるような受止保持部として、上下動を繰り返す上下往復移動タイプとしてもよい。
【００６５】
また、実施形態では、案内部５９や筒状体５６を設けた場合を示したが、案内部５９のテーパ面部６２ａやストレート部６２ｂを設けずに構成したり、あるいは、筒状体５６を設けずに構成してもよい。この場合の構成としては、図１８，１９に示す遊技機１Ｄに示すように、連結筒部５５，５８ａを設けずに、流入口５０Ｄから流出側部位５８まで連通するように、上ステージ２０と下ステージ２９との下方に設ける内部空間を入賞補助通路４５として構成してもよい。このような構成では、リフト６５に吸着されて流入口５０Ｄに流入してきた遊技球Ｂは、横板部５７や重量で、リフト６５から離脱させて、流出側部位５８側に落下させ、流出口６３から始動入賞口９に向けて流出させることとなる。
【００６６】
さらに、上記の遊技機１Ｄのように、入賞補助通路４５の左右方向に沿って往復移動する流入口５０Ｄの構成として、上下に往復移動する往復移動体４７Ｄとしての縦壁部４８Ｄに、前後に貫通するとともに斜め方向に延びる貫通穴４８ａを設け、上ステージ２０の中央部２１におけるリフト６５の上後側に、後下がりで左右に下がる横板部５７を設け、横板部５７の上面側を案内面兼用の戻しエリア５７ａとして構成してもよい。貫通穴４８ａの左右方向の開口寸法は、一個分の遊技球Ｂを挿通可能な寸法に設定されている。この遊技機１Ｄでは、往復移動体４７Ｄの縦壁部４８Ｄが、横板部５７の後縁５７ｂ側で上下に往復移動し、貫通穴４８ａにおける横板部５７の後縁５７ｂ付近に位置する部位が、実質的に左右方向に往復移動する流入口５０Ｄとなる。すなわち、後縁５７ｂ付近の流入口５０Ｄは、図１９のＣに示すように、例えば、縦壁部４８Ｄが最上昇位置に配置されれば、流入口５０Ｄがリフト６５の左側部６７ａ側に配置され、図１９のＡに示すように、縦壁部４８Ｄが最下降位置に配置されれば、流入口５０Ｄがリフト６５の右側部６７ｂ側に配置されて、縦壁部４８Ｄの上下往復移動によって、実質的に遊技球Ｂを入賞補助通路４５に流入させる流入口５０Ｄが、左右方向に往復移動することとなり、このように流入口５０Ｄを構成してもよい。
【００６７】
なお、実施形態では、デジパチタイプの遊技機１について説明したが、デジパチタイプ以外のセンター役物のあるハネモノタイプのパチンコ遊技機等に、本発明を適用してもよい。
【００６８】
また、実施形態では、ステージ部１９への遊技球Ｂの入球が、パイプ状のワープ通路１７からなる入球口を使用して行われる場合を例示したが、単に、飾り枠体１３の内外を貫通する入球口を利用して、ステージ部１９上に遊技球Ｂを入球させるように構成してもよい。
【００６９】
さらに、リフト６５，６５Ｂ、あるいは、ステージ部１９の中央部２１，３０付近は、内部を通過する遊技球Ｂを視認できるように、ある程度の透明度を有した合成樹脂材料等からなる透明体（若しくは半透明体）から形成してもよい。
【図面の簡単な説明】
【００７０】
【図１】本発明の一実施形態のパチンコ遊技機における遊技盤面を示す概略正面図である。
【図２】実施形態のセンター役物を示す概略斜視図であり、流入口が左右方向の中央付近に配置された状態を示す。
【図３】実施形態のセンター役物を示す概略斜視図であり、流入口が左側に配置された状態を示す。
【図４】実施形態のリフト付近の概略正面図であり、流入口が左側から右側に順に移動する状態を示す。
【図５】実施形態のリフト付近における図４のＡのＶ−Ｖ部位に対応する前後方向に沿った概略縦断面図であり、遊技球を吸着して流入口に流入させる状態を順に示す。
【図６】実施形態のリフト付近における図４のＡのVI−VI部位に対応する前後方向に沿った概略縦断面図であり、遊技球を吸着して戻しエリアに移送する状態を順に示す。
【図７】実施形態の流出口付近における図５のＣのVII−VII部位に対応する前後方向に沿った概略横断面図である。
【図８】実施形態のリフトと流入口を配置させた往復移動体とを示す概略斜視図である。
【図９】実施形態の案内部の変形例を示す概略横断面図である。
【図１０】実施形態のリフトの変形例を示す斜視図である。
【図１１】図１０に示すリフトを使用した遊技機のリフト付近の概略正面図であり、流入口が左側から右側に順に移動する状態を示す。
【図１２】実施形態の変形例の遊技機を示す斜視図であり、流入口が左右方向の中央付近に配置された状態を示す。
【図１３】図１２に示す遊技機の斜視図であり、流入口が左側に配置された状態を示す。
【図１４】図１２に示す遊技機のリフト付近の概略正面図であり、流入口が左側から右側に順に移動する状態を示す。
【図１５】図１２に示す遊技機のステージ部の概略正面図であり、可動片が移動する状態を示す。
【図１６】図１２に示す遊技機のリフト付近における前後方向に沿った概略縦断面図であり、遊技球を吸着して流入口に流入させる状態を順に示す。
【図１７】図１２に示す遊技機の前後方向に沿った概略縦断面図であり、遊技球を吸着して戻しエリアに移送する状態を順に示す。
【図１８】実施形態のさらに他の変形例を示す遊技機の概略縦断面図である。
【図１９】図１８に示す遊技機の概略正面図であり、流入口が右側から左側に順に移動する状態を示す。
【符号の説明】
【００７１】
１，１Ｂ，１Ｃ，１Ｄ…（パチンコ）遊技機、
９…（始動）入賞口、
１６…センター役物、
１９…ステージ部、
２０…上ステージ、
２９…下ステージ、
３０ａ…受止エリア、
４０…排出路、
４２…戻しルート、
４３…連通口、
４５…入賞補助通路、
５０，５０Ｄ…流入口、
６３…流出口、
６５，６５Ｂ…リフト、
６７…受止保持部、
６８，６９，７０…磁石、
７２，７７…可動片、
Ｂ…遊技球。
【図１】
2010035884.tif 000003
【図２】
2010035884.tif 000004
【図３】
2010035884.tif 000005
【図４】
2010035884.tif 000006
【図５】
2010035884.tif 000007
【図６】
2010035884.tif 000008
【図７】
2010035884.tif 000009
【図８】
2010035884.tif 000010
【図９】
2010035884.tif 000011
【図１０】
2010035884.tif 000012
【図１１】
2010035884.tif 000013
【図１２】
2010035884.tif 000014
【図１３】
2010035884.tif 000015
【図１４】
2010035884.tif 000016
【図１５】
2010035884.tif 000017
【図１６】
2010035884.tif 000018
【図１７】
2010035884.tif 000019
【図１８】
2010035884.tif 000020
【図１９】
2010035884.tif 000021